(57)【要約】【課題】蓋体に化粧用具を収納し、かつ簡単な動作で蓋体を開閉可能な化粧料容器を提供する。【解決手段】本発明の化粧料容器は、化粧料を収容する容器本体、および、化粧用具が収納された化粧用具収納部と蓋部を備える蓋体から構成される化粧料容器であって、前記容器本体は、外側面にねじ山が形成された円筒形状の開口部が上部に設けられ、前記化粧用具収納部は、前記開口部が挿入される孔と化粧用具を収容するスペースが設けられ、前記開口部と回転可能に係合され、前記蓋部は、前記化粧用具収納部とヒンジにて開閉可能に係合され、前記化粧用具収納部を閉じた時に前記化粧用具収納部の孔の外周上に重なる円筒形のねじ係合部が設けられ、前記ねじ係合部の内側面には前記容器本体の開口部のねじ山とねじ係合するねじ山が形成されており、前記化粧用具収納部を蓋部で閉じた状態で前記蓋体を回転させて、前記蓋部を前記容器本体の開口部にねじ係合させると、前記化粧用具収納部および前記容器本体が前記蓋部によって密閉される。【選択図】  図１
2011030676.tif 000002
【特許請求の範囲】
【請求項１】
化粧料を収容する容器本体、および、化粧用具が収納された化粧用具収納部と蓋部を備える蓋体から構成される化粧料容器であって、
前記容器本体は、外側面にねじ山が形成された円筒形状の開口部が上部に設けられ、
前記化粧用具収納部は、前記開口部が挿入される孔と化粧用具を収容するスペースが設けられ、前記開口部と回転可能に係合され、
前記蓋部は、前記化粧用具収納部とヒンジにて開閉可能に係合され、前記化粧用具収納部を閉じた時に前記化粧用具収納部の孔の外周上に重なる円筒形のねじ係合部が設けられ、前記ねじ係合部の内側面には前記容器本体の開口部のねじ山とねじ係合するねじ山が形成されており、
前記化粧用具収納部を蓋部で閉じた状態で前記蓋体を回転させて、前記蓋部を前記容器本体の開口部にねじ係合させると、前記化粧用具収納部および前記容器本体が前記蓋部によって密閉されることを特徴とする化粧料容器。
【請求項２】
化粧料を収容する容器本体、および、化粧用具が収納された化粧用具収納部と蓋部を備える蓋体から構成される化粧料容器であって、
前記容器本体は、外側面にねじ山が形成された円筒形状の開口部が上部に設けられ、
前記化粧用具収納部は、前記開口部が挿入される孔と化粧用具を収容するスペースが設けられ、前記開口部と回転可能に係合され、
前記蓋部は、前記化粧用具収納部を閉じた時に前記化粧用具収納部の孔の外周上に重なる円筒形のねじ係合部が設けられ、前記ねじ係合部の内側面には前記容器本体の開口部のねじ山とねじ係合するねじ山が形成されており、
前記化粧用具収納部を蓋部で閉じた状態で前記蓋体を回転させて、前記蓋部を前記容器本体の開口部にねじ係合させると、前記化粧用具収納部および前記容器本体が前記蓋部によって密閉されることを特徴とする化粧料容器。
【請求項３】
化粧料を収容する容器本体、および、化粧用具が収納された化粧用具収納部と蓋部を備える蓋体から構成される化粧料容器であって、
前記容器本体は、外側面にねじ山が形成された円筒形状の開口部が上部に設けられ、
前記化粧用具収納部は、前記開口部が挿入される孔と化粧用具を収容するスペースが設けられ、
前記蓋部は、前記化粧用具収納部とヒンジにて開閉可能に係合され、前記化粧用具収納部を閉じた時に前記化粧用具収納部の孔の外周上に重なる円筒形のねじ係合部が設けられ、前記ねじ係合部の内側面には前記容器本体の開口部のねじ山とねじ係合するねじ山が形成されており、
前記化粧用具収納部を蓋部で閉じた状態で前記孔に前記開口部を挿入し前記蓋体を回転させて、前記蓋部を前記容器本体の開口部にねじ係合させると、前記化粧用具収納部および前記容器本体が前記蓋部によって密閉されることを特徴とする化粧料容器。
【発明の詳細な説明】
【技術分野】
【０００１】
本発明は、蓋体に化粧用具を収納することが可能な化粧料容器に関する。
【背景技術】
【０００２】
従来のクリーム等の化粧料を収容する化粧料容器には、スパチュラ等の化粧用具を収納する場所はなく、別途に用意したスパチュラ等の化粧用具を用いて化粧を行っている。化粧用具と化粧料を別々に持ち運ぶのは不便なため、化粧料容器に化粧用具を収納できるようにしたものもいくつかある。
【０００３】
化粧料容器に化粧用具を収納できる例として最も簡単なものとしては、化粧料容器の側面に化粧用具を立てる部分を設けたものがある。その他にも、化粧料容器に中蓋を設けて、中蓋に化粧用具を収納し、さらにその上に外蓋を用いて蓋をするものが用いられている（特許文献１を参照）。
【先行技術文献】
【特許文献】
【０００４】
【特許文献１】特開２００７−２２２１９３号公報
【発明の概要】
【発明が解決しようとする課題】
【０００５】
しかしながら、化粧料容器の側面に化粧用具を収納する場合、化粧用具がむき出しとなっており不衛生であった。また、中蓋に化粧用具を収納する場合には、化粧料を使うために外蓋と中蓋を取り外す必要があり使い勝手が悪いという問題があった。中蓋を用いる場合にはさらに、化粧している間は中蓋を取り外して外に置いておくために、中蓋の底面はテーブル等の表面に接した状態で放置されることとなり、化粧が終わって中蓋をした状態ではテーブル等と接触していた中蓋の底が化粧料が収容されたスペースと接触した状態となり、化粧料にとって衛生的とは言えない状態となるという問題があった。
【０００６】
そこで、本発明は上述のような衛生面および使い勝手の問題を解決するために、蓋体に化粧用具を収納し、かつ簡単な動作で蓋体を開閉可能な化粧料容器を提供することを目的とする。
【課題を解決するための手段】
【０００７】
本発明の化粧料容器は、化粧料を収容する容器本体、および、化粧用具が収納された化粧用具収納部と蓋部を備える蓋体から構成される化粧料容器であって、前記容器本体は、外側面にねじ山が形成された円筒形状の開口部が上部に設けられ、前記化粧用具収納部は、前記開口部が挿入される孔と化粧用具を収容するスペースが設けられ、前記開口部と回転可能に係合され、前記蓋部は、前記化粧用具収納部とヒンジにて開閉可能に係合され、前記化粧用具収納部を閉じた時に前記化粧用具収納部の孔の外周上に重なる円筒形のねじ係合部が設けられ、前記ねじ係合部の内側面には前記容器本体の開口部のねじ山とねじ係合するねじ山が形成されており、前記化粧用具収納部を蓋部で閉じた状態で前記蓋体を回転させて、前記蓋部を前記容器本体の開口部にねじ係合させると、前記化粧用具収納部および前記容器本体が前記蓋部によって密閉されることを特徴とする。
【０００８】
また、本発明の化粧料容器は、化粧料を収容する容器本体、および、化粧用具が収納された化粧用具収納部と蓋部を備える蓋体から構成される化粧料容器であって、前記容器本体は、外側面にねじ山が形成された円筒形状の開口部が上部に設けられ、前記化粧用具収納部は、前記開口部が挿入される孔と化粧用具を収容するスペースが設けられ、前記開口部の周囲を回転可能に前記容器本体に係合され、前記蓋部は、前記化粧用具収納部を閉じた時に前記化粧用具収納部の孔の外周上に重なる円筒形のねじ係合部が設けられ、前記ねじ係合部の内側面には前記容器本体の開口部のねじ山とねじ係合するねじ山が形成されており、前記化粧用具収納部を蓋部で閉じた状態で前記蓋体を回転させて、前記蓋部を前記容器本体の開口部にねじ係合させると、前記化粧用具収納部および前記容器本体が前記蓋部によって密閉されることを特徴とする。
【０００９】
あるいは、化粧料を収容する容器本体、および、化粧用具が収納された化粧用具収納部と蓋部を備える蓋体から構成される化粧料容器であって、前記容器本体は、外側面にねじ山が形成された円筒形状の開口部が上部に設けられ、前記化粧用具収納部は、前記開口部が挿入される孔と化粧用具を収容するスペースが設けられ、前記蓋部は、前記化粧用具収納部とヒンジにて開閉可能に係合され、前記化粧用具収納部を閉じた時に前記化粧用具収納部の孔の外周上に重なる円筒形のねじ係合部が設けられ、前記ねじ係合部の内側面には前記容器本体の開口部のねじ山とねじ係合するねじ山が形成されており、前記化粧用具収納部を蓋部で閉じた状態で前記孔に前記開口部を挿入し前記蓋体を回転させて、前記蓋部を前記容器本体の開口部にねじ係合させると、前記化粧用具収納部および前記容器本体が前記蓋部によって密閉されることを特徴とする。
【発明の効果】
【００１０】
本発明の化粧料容器は、化粧料を収容する容器本体、および、化粧用具が収納された化粧用具収納部と蓋部を備える蓋体から構成される化粧料容器であって、前記容器本体は、外側面にねじ山が形成された円筒形状の開口部が上部に設けられ、前記化粧用具収納部は、前記開口部が挿入される孔と化粧用具を収容するスペースが設けられ、前記開口部と回転可能に係合され、前記蓋部は、前記化粧用具収納部とヒンジにて開閉可能に係合され、前記化粧用具収納部を閉じた時に前記化粧用具収納部の孔の外周上に重なる円筒形のねじ係合部が設けられ、前記ねじ係合部の内側面には前記容器本体の開口部のねじ山とねじ係合するねじ山が形成されており、前記化粧用具収納部を蓋部で閉じた状態で前記蓋体を回転させて、前記蓋部を前記容器本体の開口部にねじ係合させると、前記化粧用具収納部および前記容器本体が前記蓋部によって密閉されることにより、清潔な状態で気密性を損なうことなく化粧用具を収納可能であり、かつ簡単な動作で蓋部の開閉を行うことができる。
【００１１】
さらに、本発明の化粧料容器は、前記ヒンジを用いないで蓋部を化粧用具収納部から取り外し可能とする、あるいは、前記蓋体を化粧料容器から取り外し可能とすることで、様々な形態の蓋体を用いることができると同時に、気密性を損なうことなく化粧用具を収納することができる。
【図面の簡単な説明】
【００１２】
【図１】第1の実施形態の化粧料容器の蓋部を開いた状態の斜視図である。
【図２】第１の実施形態の化粧料容器の蓋部を開いた状態の平面図である。
【図３】第１の実施形態の化粧料容器の断面図であり、（ａ）が横方向の断面図、（ｂ）が縦方向の断面図である。
【図４】第１の実施形態の化粧料容器の蓋部の開閉動作を示す断面図であり、（ａ）がねじ係合を解除した状態、（ｂ）が蓋部を開いた状態を示す。
【図５】第２の実施形態の化粧料容器の蓋部を開いた状態の斜視図である。
【図６】第２の実施形態の化粧料容器の断面図であり、（ａ）が横方向の断面図、（ｂ）が縦方向の断面図である。
【図７】第２の実施形態の化粧料容器の蓋部の開閉動作を示す断面図であり、（ａ）がねじ係合を解除した状態、（ｂ）が蓋部を開いた状態を示す。
【図８】第３の実施形態の化粧料容器の蓋部を開いた状態の斜視図である。
【図９】第３の実施形態の化粧料容器の断面図であり、（ａ）が横方向の断面図、（ｂ）が縦方向の断面図である。
【図１０】第３の実施形態の化粧料容器の蓋部の開閉動作を示す断面図であり、ねじ係合を解除した状態を示す。
【図１１】第３の実施形態の化粧料容器の蓋部の開閉動作を示す断面図であり、蓋部を開いた状態を示す。
【発明を実施するための形態】
【００１３】
本発明を、図を用いて以下に詳細に説明する。図１に示すのが本発明の第１の実施形態の化粧料容器１の蓋部を開いた状態の斜視図であり、図２が平面図、そして図３に示すのが断面図である。
【００１４】
本発明の化粧料容器１は、図１に示すように、化粧料を収容する容器本体２、および、化粧用具６が収納された化粧用具収納部４と蓋部５を備える蓋体３から構成される。図３に示すように、前記容器本体２は化粧料を収容する円筒形状の本体７と前記本体７の上部に設けられた化粧料を取り出すための円筒形状の開口部８からなる。前記円筒形状の開口部８の外側面にはねじ山９が形成されている。
【００１５】
前記化粧用具収納部４および前記蓋部５は、図２に示すように、卵型の平面形状をなしており、図３（ｂ）に示すようなヒンジ１０を設けて、前記ヒンジ１０を軸として前記蓋部５が回転することで、前記化粧用具収納部４と前記蓋部５は互いに開閉可能に係合されている。前記化粧用具収納部４は、図２に示すように、化粧用具６を収納するスペース１１と円形の孔１２を有し、前記円形の孔１２に前記容器本体２の円筒形状の開口部８が挿入され、前記化粧用具収納部４は前記開口部８と回転可能に係合されており、前記蓋体３は容器本体２に対して回転可能であるが取り外せない状態となっている。
【００１６】
本実施形態では、前記化粧用具収納部４の孔１２に前記容器本体２の円筒形状の開口部８を挿入し、図３に示すように、前記円筒形状の開口部８の外側面の下方に設けた溝１５に前記化粧用具収納部４の孔１２の縁１６を嵌め込むことで、前記蓋体３が前記容器本体２に回転可能に係合されている。
【００１７】
前記化粧用具収納部４において、前記スペース１１は、図２に示すように円形の孔１２に沿うように円弧状に形成されており、前記スペース１１に収納される前記化粧用具６（ここではスパチュラ）も前記スペース１１の形状に合わせて円弧状に形成したものを使用している。
【００１８】
前記蓋部５は、図３に示すように前記化粧用具収納部４を上から閉じた時に前記化粧用具収納部４の孔１２の外周上に重なる円筒形のねじ係合部１３を有し、前記ねじ係合部１３は前記容器本体２の開口部８が挿入される大きさに形成され、さらに、前記ねじ係合部１３の内側面には前記容器本体２の開口部８に設けられたねじ山９とねじ係合するねじ山１４が形成されている。
【００１９】
前記ねじ山９および前記ねじ山１４はそれぞれ前記開口部８の外側面および前記ねじ係合部１３の内側面の全周に亘って形成するのではなく、全周の約６分の1の大きさで２ヶ所にに形成している。これは、前記蓋部５の開閉がスムーズに行えるようにこのような大きさおよび個数としているが特に限定するものではない。このようにねじ山９，１４を設けることで、前記蓋部５は前記容器本体２にねじ係合され、前記蓋部５によって前記容器本体２は密閉される構造となっている。
【００２０】
前記蓋体３の開閉構造についてさらに詳しく説明する。図３に示す状態では、容器本体２の開口部８と蓋部５のねじ係合部１３がねじ係合して開口部８が蓋部５で閉じられた状態であり、かつ、前記蓋部５はヒンジ１０を軸に回転して前記化粧用具収納部４に重なりあい密着して前記化粧用具収納部４が前記蓋部５によって閉じられた状態であり、このようにして、前記化粧用具収納部４および容器本体２は前記蓋部５によって密閉された状態となる。
【００２１】
この状態から、前記蓋体３を前記蓋部５のねじ係合部１３と前記容器本体２の開口部８とのねじ係合が解除される方向に回転させると、図４（ａ）に示すように、前記ねじ係合部１３と前記開口部８とのねじ係合が解除され、前記蓋部５は前記容器本体２から取り外すことができる状態となり、前記蓋部５が前記化粧用具収納部４から少し離れた状態となる。
【００２２】
このように前記ねじ係合部１３と前記開口部８とのねじ係合が解除された状態となったら、前記蓋体３の回転を停止し、次は前記蓋部５を前記ヒンジ１０を軸に回転させて、図４（ｂ）に示すように、前記容器本体２から取り外し、かつ、前記化粧用具収納部４を開いた状態とする。これにより、化粧料容器１は蓋部５が開いて化粧ができる状態となる。このようにして蓋部５が開いたら、化粧用具６を前記スペース１１から取り出して、容器本体２に収容されている化粧料を使用し化粧を行う。この状態では、蓋体３は容器本体２と回転可能に係合されており、取り外すことはできない。
【００２３】
化粧が終わったら、化粧用具６を前記スペース１１に収納し、前記蓋部５をヒンジ１０を軸に回転させて前記化粧用具収納部４の上に重ね、容器本体２を閉める。この時はまだねじ係合されていないので完全に蓋部５は閉じておらず、図４（ａ）に示すように、前記蓋部５と前記化粧用具収納部４とは少し隙間がある状態となっており、前記化粧用具収納部４および前記容器本体２は密閉されていない。
【００２４】
前記蓋部５が前記ヒンジ１０を軸とした回転がこれ以上できない状態となったら、前記蓋体３を前記容器本体２に対して前記蓋部５のねじ係合部１３と前記容器本体２の開口部８とがねじ係合される方向へと回転させる。すると、前記蓋部５のねじ係合部１３と前記容器本体２の開口部８とがねじ係合されて前記蓋部５が閉まっていく。この時、前記蓋部５は前記開口部８に対して回転すると同時に、前記ヒンジ１０を軸にして前記化粧用具収納部４と密着する方向に回転している。
【００２５】
このようにして蓋体３を回転させると、前記ねじ係合部１３と前記開口部８とのねじ係合、および前記蓋部５と前記化粧用具収納部４とのヒンジ１０によるヒンジ係合によって、図３に示すように、蓋部５によって容器本体２および化粧用具収納部４が密閉された状態となる。
【００２６】
上述のように、本発明の化粧料容器１は、蓋体３に化粧用具６を収納することができ、さらに、１つの蓋部５を閉じることで簡単に容器本体２と化粧用具収納部４を同時に閉じることができるので、清潔な状態で気密性を損なうことなく化粧用具を収納することが可能となった。
【００２７】
次に、第２の実施形態の化粧料容器１’について説明する。図５に示すのが、蓋部５’を開いた状態の化粧料容器１’の平面図であり、図６に示すのが断面図である。
【００２８】
第２の実施形態の化粧料容器１’は、図５に示すように、化粧料を収容する容器本体２、および、化粧用具６が収納された化粧用具収納部４’と蓋部５’を備える蓋体３’から構成される。図５に示すように、前記容器本体２は化粧料を収容する円筒形状の本体７と前記本体７の上部に設けられた化粧料を取り出すための円筒形状の開口部８からなる。前記円筒形状の開口部８の外側面にはねじ山９が形成されている。
【００２９】
本実施形態では、第１の実施形態とは異なり、化粧用具収納部４’と蓋部５’を開閉可能に係合するためのヒンジを用いていない。そのために、前記蓋部５’は前記化粧用具収納部４’から取り外すことができる構造となっている。前記化粧用具収納部４’は、図５に示すように、化粧用具６を収納するスペース１１と円形の孔１２を有し、前記円形の孔１２に前記容器本体２の円筒形状の開口部８が挿入され、前記化粧用具収納部４’は前記開口部８と回転可能に係合されており、前記蓋体３’は容器本体２に対して回転可能であるが取り外せない状態となっている。
【００３０】
前記円筒形状の開口部８の外側面の下方に設けた溝１５に前記化粧用具収納部４’の孔１２の縁１６を嵌め込むことで、前記蓋体３’が前記容器本体２に回転可能に係合されている。前記スペース１１は、円形の孔１２に沿うように円弧状に形成されており、前記スペース１１に収納される前記化粧用具６も同様に円弧状としている。
【００３１】
前記蓋部５’は、図６に示すように前記化粧用具収納部４’を上から閉じた時に前記化粧用具収納部４の孔１２の外周上に重なる円筒形のねじ係合部１３を有し、前記ねじ係合部１３は前記容器本体２の開口部８が挿入される大きさに形成され、さらに、前記ねじ係合部１３の内側面には前記容器本体２の開口部８に設けられたねじ山９とねじ係合するねじ山１４が形成されており、前記蓋部５は前記容器本体２にねじ係合され、前記蓋部５によって前記容器本体２は密閉される構造となっている。
【００３２】
本実施形態ではヒンジを設けていないので、前記蓋部５’で前記化粧用具収納部４’を閉じる際には、単に前記蓋部５’を前記化粧用具収納部４’の上に重ねるだけでよい。しかしながらただ重ねるだけでは前記蓋部５’と前記化粧用具収納部４’がずれる可能性があるので、互いに凹凸を設けておき簡単に位置決めできるようにしている。
【００３３】
ここでは、図５に示すように、前記蓋部５’の底面に３個の突出部１７を設け、前記化粧用具収納部４’の上面の前記突出部１７と対向する位置に３個の挿入孔１８を設けている。図６に示すように、前記突出部１７が前記挿入孔１８に挿入されるように前記蓋部５’を前記化粧用具収納部４’に重ねることで、位置決めが簡単に行われ、前記蓋部５’を前記化粧用具収納部４’の上に正確に重ねることができる。位置決めの構造については特に限定するものではなくざまざまな形態を用いることが可能である。
【００３４】
このようにして、凹凸を利用して前記蓋部５’を前記化粧用具収納部４’の上に正確に重ねた後、前記係合部１３と前記開口部８とのねじ係合を利用して前記蓋部５によって前記容器本体２と前記化粧用具収納部４’を密閉する。
【００３５】
前記蓋体３’の開閉構造についてさらに詳しく説明する。図６に示す状態では、容器本体２の開口部８と蓋部５’のねじ係合部１３がねじ係合した状態であり、かつ、前記蓋部５’は前記化粧用具収納部４’に重なりあい密着した状態であり、これにより、前記化粧用具収納部４’および容器本体２は前記蓋部５’によって密閉された状態となっている。
【００３６】
この状態から、前記蓋体３’を前記蓋部５’のねじ係合部１３と前記容器本体２の開口部８とのねじ係合が解除される方向に回転させると、図７（ａ）に示すように、前記ねじ係合部１３と前記開口部８とのねじ係合が解除され、前記蓋部５’は前記容器本体２から取り外すことができる状態となり、前記蓋部５’が前記化粧用具収納部４’から少し離れた状態となる。
【００３７】
このように前記ねじ係合部１３と前記開口部８とのねじ係合が解除された状態となったら、前記蓋体３’の回転を停止し、次は前記蓋部５’を前記化粧用具収納部４’から取り外すと、図７（ｂ）に示すように、前記容器本体２および前記化粧用具収納部４’から蓋部５’が取り外された状態となる。これにより、化粧料容器１’は蓋部５’が取り外されて化粧ができる状態となる。
【００３８】
このようにして蓋部５’を開いて取り外したら、化粧用具６を前記スペース１１から取り出して、容器本体２に収容されている化粧料を使用し化粧を行う。この状態では、前記蓋部５’は化粧用具収納部４’とは分離されているが、前記化粧用具収納部４’は容器本体２と回転可能に係合されており、取り外すことはできない。
【００３９】
化粧が終わったら、化粧用具６を前記スペース１１に収納し、前記蓋部５’を前記化粧用具収納部４’の上に重ねて、前記突出部１７を前記挿入孔１８に挿入する。この時はまだねじ係合されていないので完全に蓋部５’は閉じておらず、図７（ａ）に示すように、前記蓋部５’と前記化粧用具収納部４’とは少し隙間がある状態となっており、前記化粧用具収納部４’および前記容器本体２は密閉されていない。
【００４０】
前記蓋部５’を前記化粧用具収納部４’の上に正確に重ねたら、前記蓋体３’を前記容器本体２に対してねじ係合される方向へと回転させる。すると、前記蓋部５’のねじ係合部１３と前記容器本体２の開口部８がねじ係合して前記蓋部５’が閉まっていき、図６に示すように、蓋部５’と前記化粧用具収納部４’とが密着し、蓋部５’によって容器本体２および化粧用具収納部４’が密閉された状態となる。
【００４１】
本実施形態の化粧料容器１’は蓋体３’に化粧用具６を収納し、蓋部５’を完全に取り外すことができるので、化粧料の出し入れがしやすく、かつ、清潔な状態で気密性を損なうことなく化粧用具を収納することが可能となる。
【００４２】
続いて、第３の実施形態の化粧料容器１’’について説明する。図８に示すのが、蓋部５を開いた状態の化粧料容器１’’の平面図であり、図９に示すのが断面図である。
【００４３】
第３の実施形態の化粧料容器１’’は、第１の実施形態の化粧料容器の蓋体３を容器本体２から取り外し可能な構造としたものである。これ以外の構造については第１の実施形態と同様であるので、同じ構造および形状の箇所については詳しいことは省略して説明を行う。
【００４４】
本実施形態の化粧料容器１’’は、図８に示すように、容器本体２’および、化粧用具６が収納された化粧用具収納部４と蓋部５を備える蓋体３から構成される。前記化粧用具収納部４および前記蓋部５は、ヒンジ１０によって互いに開閉可能に係合されている。
【００４５】
前記容器本体２’の円筒形状の開口部８’の外側面に設けられたねじ山９と、前記蓋部５の係合部１３の内側面に設けられたねじ山１４がねじ係合することで、前記蓋体３は前記容器本体２’にねじ係合される構造となっている。
【００４６】
本実施形態では第１の実施形態とは異なっており、図９に示すように、化粧料を収容する容器本体２’の開口部８’の外周面には、化粧用具収納部４を回転可能に係合するための溝を設けていない。これにより、化粧用具収納部４は容器本体２’から取り外し可能となっているので、蓋体３も容器本体２’から完全に取り外すことができる。
【００４７】
そのために、本実施形態では第１の実施形態とは蓋部５の開閉動作が異なっている。これについて詳しく説明する。蓋部５を閉じた状態は、図９に示すように、第１の実施形態とほぼ同じである。この状態から、前記蓋体３を容器本体２’に対して前記蓋部５のねじ係合部１３と前記容器本体２の開口部８’とのねじ係合が解除される方向に回転させると、図１０に示すように、前記ねじ係合部１３と前記開口部８’とのねじ係合が解除され、前記蓋部５は前記化粧用具収納部４と密着したままの状態で、前記蓋体３が容器本体２’から取り外される。
【００４８】
前記蓋体３が容器本体２’から取り外されると、化粧料が使用できる状態となるが、化粧用具収納部４は蓋部５によって閉じられたままの状態である。そこで、前記蓋部５を前記ヒンジ１０を軸に回転させて前記化粧用具収納部４が開いた状態にさせる。このようにして蓋部５が開いて化粧用具６を取り出せる状態となったら、化粧用具６を前記スペース１１から取り出して、容器本体２’に収容されている化粧料を使用し化粧を行う。
【００４９】
化粧が終わったら、化粧用具６を前記スペース１１に収納し、前記蓋部５をヒンジ１０を軸に回転させて前記化粧用具収納部４を閉じる。この時、第１の実施形態とは異なり、化粧用具収納部４は完全に閉じられた状態とすることができる。
【００５０】
このようにして、前記化粧用具収納部４が前記蓋部５によって閉じられた状態の蓋体３を、前記容器本体２’に対して、前記開口部８’が前記係合部１３の中へと挿入されるように上から重ねる。そして、前記蓋体３を前記容器本体２’に対して前記蓋部５のねじ係合部１３と前記容器本体２の開口部８’がねじ係合される方向へと回転させ、容器本体２’を蓋部５で密閉させる。このようにして、蓋部５によって容器本体２’および化粧用具収納部４が密閉された状態となる。
【００５１】
上述のように、本実施形態では、蓋体３が容器本体２’から取り外すことができるので、化粧用具６を使用しない場合、例えば、手で直接化粧料を塗布する場合、あるいは、他の化粧用具を使用する場合は、化粧用具収納部４を開くことなく、蓋体３を容器本体２’から取り外した状態で化粧するとことも可能となる。この時、使用しない化粧用具６は収納された状態であるので清潔な状態を保つことができる。
【符号の説明】
【００５２】
１、１’、１’’化粧料容器
２、２’      容器本体
３、３’      蓋体
４、４’      化粧用具収納部
５、５’      蓋部
６            化粧用具
７            本体
８、８’      開口部
９            ねじ山
１０          ヒンジ
１１          スペース
１２          孔
１３          係合部
１４          ねじ山
１５          溝
１６          縁
１７          突起部
１８          挿入孔
【図１】
2011030676.tif 000003
【図２】
2011030676.tif 000004
【図３】
2011030676.tif 000005
【図４】
2011030676.tif 000006
【図５】
2011030676.tif 000007
【図６】
2011030676.tif 000008
【図７】
2011030676.tif 000009
【図８】
2011030676.tif 000010
【図９】
2011030676.tif 000011
【図１０】
2011030676.tif 000012
【図１１】
2011030676.tif 000013